(57)【特許請求の範囲】
【請求項１】
管体に光ファイバーケーブルを巻き付けて構成される光ファイバー温度計であって、
高い剛性を具備するステンレス製管体に前記光ファイバーケーブルが巻き付けられていて、
そのステンレス製管体に巻き付けられた光ファイバーケーブルの外周の少なくとも一部に、低い熱伝導率を具備するＦＲＰ製被膜が形成されており、前記ステンレス製管体の下端部が略円錐形状部となっていることを特徴とする光ファイバー温度計。
【請求項２】
地盤に薬液を注入して造成する地盤改良体の品質管理方法であって、
地盤改良体を造成する地盤に、請求項１に記載の前記ステンレス製管体に巻き付けられた前記光ファイバーケーブルの外周の少なくとも一部に前記ＦＲＰ製被膜が形成されてなる光ファイバー温度計を挿入しておき、
地盤改良体の造成中に、その地盤改良体が造成される地盤の温度を前記光ファイバー温度計により連続的に測定することによって、地盤改良体の径に代表される形状を測定して品質管理することを特徴とする地盤改良体の品質管理方法。
【請求項３】
地盤に薬液を注入して造成する地盤改良体の品質管理装置であって、
地盤改良体を造成する地盤に挿入され、請求項１に記載の前記ステンレス製管体に巻き付けられた前記光ファイバーケーブルの外周の少なくとも一部に前記ＦＲＰ製被膜が形成されてなる光ファイバー温度計と、
前記薬液の注入による地盤改良体の造成中に、その地盤改良体が造成される地盤の温度を前記光ファイバー温度計により連続的に測定することによって、地盤改良体の径に代表される形状を測定して品質管理する管理装置と、を備えることを特徴とする地盤改良体の品質管理装置。
【発明の詳細な説明】
【技術分野】
【０００１】
本発明は、光ファイバー温度計と、その光ファイバー温度計を用いて行う、薬液注入工法で造成する地盤改良体の品質管理方法、及び品質管理装置に関する。
【背景技術】
【０００２】
特許文献１において、地盤改良体の造成中にリアルタイムで地盤改良体の径に代表される形状を確認し、地盤改良体の品質を管理するための方法、及び測定ロッドが提案される。
その方法は、地盤に薬液を注入して造成する地盤改良体の径に代表される形状の測定において、地盤改良体を造成する地盤に、温度を測定する光ファイバー温度計を挿入し、地盤改良体の造成中に、その地盤改良体が造成される地盤の温度を光ファイバー温度計により連続的に測定することによって、地盤改良体の径に代表される形状を測定して品質管理するものである。
また、測定ロッドは、管体に光ファイバーケーブルを巻き付けることで、周囲の地盤の温度を測定する光ファイバー温度計を備えている。
【先行技術文献】
【特許文献】
【０００３】
【特許文献１】特開２０１１−２２６２５０号公報
【発明の概要】
【発明が解決しようとする課題】
【０００４】
しかし、地盤改良体の品質管理の頻度として、従来は３箇所程度であり、全体の品質の把握までは実施できなかつた。
その理由として、事後の改良体コア採取や光ファイバー温度計の事前確認方法が一度きりの方法であるため、頻度を増やすとコストが高かった。
また、事前確認方法の場合、確認当日より数日前に光ファイバー温度計を埋設しておき、すなわち、事前に光ファイバー温度計を設置する必要があつたため、頻度を増やした場合、施工日数を要していた。
【０００５】
そして、管体に巻き付けられた光ファイバーケーブルを保護するものとしては、管体と同程度の剛性を有した材料を使うことが考えられるが、それが鉄製の場合、熱伝導率が高く、微小な温度変化を把握することが困難である。
また、従来の光ファイバー温度計は、現場ごとに使用後に廃棄していた。
【０００６】
本発明の課題は、光ファイバー温度計において、設置時間を短縮して品質管理の頻度を増やすことを可能とし、繰返し反復使用を可能としてコストを安価にするとともに、温度差の低い変化も把握できるようにすることである。
【課題を解決するための手段】
【０００７】
以上の課題を解決するため、請求項１に記載の発明は、
管体に光ファイバーケーブルを巻き付けて構成される光ファイバー温度計であって、
高い剛性を具備するステンレス製管体に前記光ファイバーケーブルが巻き付けられていて、
そのステンレス製管体に巻き付けられた光ファイバーケーブルの外周の少なくとも一部に、低い熱伝導率を具備するＦＲＰ製被膜が形成されており、前記ステンレス製管体の下端部が略円錐形状部となっていることを特徴とする。
【００１０】
請求項２に記載の発明は、
地盤に薬液を注入して造成する地盤改良体の品質管理方法であって、
地盤改良体を造成する地盤に、請求項１に記載の前記ステンレス製管体に巻き付けられた前記光ファイバーケーブルの外周の少なくとも一部に前記ＦＲＰ製被膜が形成されてなる光ファイバー温度計を挿入しておき、
地盤改良体の造成中に、その地盤改良体が造成される地盤の温度を前記光ファイバー温度計により連続的に測定することによって、地盤改良体の径に代表される形状を測定して品質管理することを特徴とする。
【００１１】
請求項３に記載の発明は、
地盤に薬液を注入して造成する地盤改良体の品質管理装置であって、
地盤改良体を造成する地盤に挿入され、請求項１に記載の前記ステンレス製管体に巻き付けられた前記光ファイバーケーブルの外周の少なくとも一部に前記ＦＲＰ製被膜が形成されてなる光ファイバー温度計と、
前記薬液の注入による地盤改良体の造成中に、その地盤改良体が造成される地盤の温度を前記光ファイバー温度計により連続的に測定することによって、地盤改良体の径に代表される形状を測定して品質管理する管理装置と、を備えることを特徴とする。
【発明の効果】
【００１２】
本発明によれば、設置時間を短縮して品質管理の頻度を増やすことができ、繰返し反復使用できてコストを安価にすることができるとともに、温度差の低い変化も把握することができる。
【図面の簡単な説明】
【００１３】
【図１】本発明を適用した光ファイバー温度計の一実施形態の構成を示す斜視図である。
【図２】本発明の光ファイバー温度計を用いて行う薬液注入工法で造成する地盤改良体の品質管理装置の一実施形態の構成を示す概略縦断面図である。
【図３】実施形態２の光ファイバー温度計の斜視図（ａ）と、その矢印Ｂ部の被膜部分のみを示す拡大側面図（ｂ）である。
【発明を実施するための形態】
【００１４】
以下、図を参照して本発明を実施するための形態を詳細に説明する。
（実施形態１）
図１は本発明を適用した光ファイバー温度計１の一実施形態の構成を示すもので、２は高い剛性を具備する材料による管体（ステンレス製管体）、３は光ファイバーケーブル、４は低い熱伝導率を具備する材料による被膜（ＦＲＰ製被膜）、５はＰＴ温度計、６はセンサケーブルである。
【００１５】
図示のように、光ファイバー温度計１は、高い剛性を具備する材料であるステンレス製の管体（以下、ステンレス製管体と呼ぶ）２に部分的に、光ファイバーケーブル３を隙間なく密に巻き付けて、そのステンレス製管体２に巻き付けた光ファイバーケーブル３の外周を部分的に、低い熱伝導率を具備する材料であるＦＲＰ製の被膜（以下、ＦＲＰ製被膜と呼ぶ）４で被覆して構成されている。
【００１６】
図示例では、露出した光ファイバーケーブル３の外周の一部に、ＰＴ（白金抵抗体）温度計５が接着されており、このＰＴ温度計５にはセンサケーブル６が接続されている。
なお、光ファイバー温度計１（光ファイバーケーブル３）及びセンサケーブル６は、図２に示す薬液注入施工管理装置１０に接続される。
【００１７】
このように、光ファイバーケーブル３を巻き付ける管体をステンレス製管体２とすることで、高剛性となる。
しかも、その管体２に光ファイバーケーブル３を巻き付けることで、測定ピッチが細かくなる。
さらに、その管体２に巻き付けた光ファイバーケーブル３をＦＲＰ製被膜４で被覆することで、低温度差でも感知が可能となる。
【００１８】
図２は本発明の光ファイバー温度計１を用いて行う薬液注入工法で造成する地盤改良体の品質管理装置の一実施形態の構成を示すもので、１０は薬液注入施工管理装置、１１は薬液注入ロッドである。
【００１９】
すなわち、地盤に挿入した薬液注入ロッド１１からは、矢印で示したように薬液が注入されて、地盤改良体が造成される。
そして、図示例では、４本の光ファイバー温度計１Ａ・１Ｂ・１Ｃ・１Ｄが互いに離間して配置される。
【００２０】
以上において、薬液注入により造成される地盤改良体は、破線で示される設計改良位置Ｌ０に対し実線で示される実測改良位置Ｌ１が、注入する薬液の比重が水の比重より若干高いので、固化時間が遅い場合、図示のように、設計改良位置Ｌ０より重力で下がることがある。
【００２１】
そして、薬液注入施工管理装置１０において、４本の光ファイバー温度計１Ａ・１Ｂ・１Ｃ・１Ｄにより、各々の温度変化を感知する長さをそれぞれ把握する。
これにより、地盤改良体の３次元的な形状を把握できる。
【００２２】
このように、４本の光ファイバー温度計１Ａ・１Ｂ・１Ｃ・１Ｄにより、各々の温度変化を感知する長さをそれぞれ把握することで、地盤改良体の３次元的な形状を描くことが可能となる。
加えて、温度変化を平面的にも複数箇所測定することで、さらに精度の高い改良体形状を描くことが可能となる。
【００２３】
以上、実施形態の光ファイバー温度計１によれば、光ファイバーケーブル３が巻き付けられる管体を高い剛性を具備するステンレス製管体２に変えることで、地盤を予め掘削して設置するのではなく、地盤を乱さずに光ファイバー温度計１をステンレス製管体２の具備する高い剛性により貫入して設置することができる。
従って、光ファイバー温度計の設置時間を短縮して、品質管理の頻度を増やすことができる。
また、光ファイバーケーブル３がステンレス製管体２に巻き付けられているので、光ファイバー温度計１を繰返し使用できることから、測定材料に係るコストを安価にすることができる。
【００２４】
そして、ステンレス製管体２に巻き付けた光ファイバーケーブル３の外周に、低い熱伝導率を具備するＦＲＰ製被膜４を使用することで、温度差の変化が約２度と少ない薬液注入工法において、その温度差の低い微小な温度変化を把握することができる。
さらに、ＦＲＰ製被膜４が比較的高い剛性を有していることからも、地盤に対して繰返して貫入することができる。
【００２５】
（実施形態２）
図３（ａ）は実施形態２の光ファイバー温度計１を示すもので、図示のように、ステンレス製管体２の下端部が略円錐形状部２ａに形成されている。
【００２６】
このように、ステンレス製管体２の下端部を略円錐形状部２ａとすることで、地盤への貫入が行いやすくなる。
【００２７】
そして、ステンレス製管体２の全長にわたり光ファイバーケーブル３を隙間なく密に巻き付けて、その光ファイバーケーブル３の外周を部分的にＦＲＰ製被膜４で被覆している。そのＦＲＰ製被膜４部分を図３（ｂ）に拡大して示す。
【００２８】
また、その露出した光ファイバーケーブル３の外周の一部に、ＰＴ温度計５を貼り付けテープ７で貼り付けている。
さらに、ＦＲＰ製被膜４の一部にも、ＰＴ温度計５を貼り付けテープ７で貼り付けている。
【００２９】
このように、露出した光ファイバーケーブル３の外周の一部にＰＴ温度計５を設けるとともに、光ファイバーケーブル３の外周を部分的に被覆したＦＲＰ製被膜４の一部にＰＴ温度計５を設けてもよい。
【００３０】
（変形例）
以上の実施形態においては、ステンレス製管体としたが、本発明はこれに限定されるものではなく、他の高剛性材料であってもよい。
また、実施形態では、ＦＲＰ製被膜としたが、ＦＲＰに限らず、他の低い熱伝導率を具備する樹脂材料であってもよい。
さらに、高い剛性を具備する材料による管体に巻き付けた光ファイバーケーブルを部分的に低い熱伝導率を具備する材料による被膜で被覆したが、全体を被膜で被覆してもよい。
また、地盤改良体の品質管理に用いる光ファイバー温度計の数は任意であり、その他、具体的な細部構造や手法等についても適宜に変更可能であることは勿論である。
【符号の説明】
【００３１】
１  光ファイバー温度計
２  高い剛性を具備する材料による管体（ステンレス製管体）
３  光ファイバーケーブル
４  低い熱伝導率を具備する材料による被膜（ＦＲＰ製被膜）
５  ＰＴ温度計
６  センサケーブル
７  貼り付けテープ
１０  管理装置
１１  薬液注入ロッド
【図１】
0006502097.tif 000002
【図２】
0006502097.tif 000003
【図３】
0006502097.tif 000004